(57)【要約】【課題】同面に２つ以上の電極がある被充電２次電池を充電装置において、大きさおよび電極位置が異なる前記被充電２次電池を一つの充電装置で充電できる２次電池充電装置を提供する。【解決手段】電池固定設定部１２は押さえ板１３と１４を有している。押さえ板１３は電池外形の長さ方向（図中、Ｙ軸方向）に移動可能であり、押さえ板１４は電池外形の幅方向（図中、Ｘ軸方向）に移動可能である。電池固定設定部１２には、押さえ板１３を係合する縦リブ１５や押さえ板１４を係合する横リブ１６が形成されている。すなわち押さえ板１３は電池固定設定部１２に形成されている縦リブ１５に係合し、Ｙ軸方向に移動可能であり、押さえ板１４は電池固定設定部１２に形成されている横リブ１６に係合しＸ軸方向に移動可能である。【選択図】図１
2012125005.tif 000002
【特許請求の範囲】
【請求項１】
同面に２つ以上の電極を設けた被充電２次電池を固定する電池固定設定部と、同面に２つ以上の接触端子を有する可動端子を有し、この可動端子を移動可能とし、この可動端子を任意の位置に固定する端子位置設定部とを備えた２次電池充電装置。
【請求項２】
前記２次電池固定設定部に、対象被充電２次電池の外形に２次元方向に移動可能な押さえ板を有した請求項１記載の２次電池充電装置。
【請求項３】
前記端子位置設定部の可動端子が、前記被充電２次電池の電極面に対して一定間隔で平行に可動できることを特徴とする請求項１乃至請求項２記載の２次電池充電装置。
【請求項４】
前記端子位置設定部の可動端子を、前記被充電２次電池の電極面に近づけて固定し、又は、移動可動に切り替える切り替え部を有したことを特徴とする請求項１乃至請求項３記載の２次電池充電装置。
【発明の詳細な説明】
【技術分野】
【０００１】
本発明は、同面に２つ以上の電極がある被充電２次電池（電池パック）において、形状の違う、また電極位置が違う被充電２次電池（電池パック）を一つの充電器で充電できる２次電池充電装置に関する。
【背景技術】
【０００２】
近年、携帯電話は多機能化が進み、ヘビーユーザーも多く、電池の持ちが悪いなど、予備の電池パックを持つ人が増えていて、電池パック単体を充電したい人も数多くいる。
しかしながら、新しい携帯電話を購入すると携帯電話機のデザインや構造の制約から被受電２次電池（電池パック）も新しい形状や電極位置になる場合が多く電池パック専用充電器も買い替えする必要があった。
【０００３】
図１０に示す従来の充電器１では、被充電２次電池の収納部２を有し、被充電２次電池の電極に接触する接続端子３を有している。
【０００４】
収納部２、接続端子部３は充電器１に固定配置され、被充電２次電池（電池パック）を充電する。
【０００５】
図１１において、４、５、６、７は形状および電極位置が異なる被充電２次電池（電池パック）である。８、９、１０、１１はそれぞれの被充電２次電池の電極である。前記の充電器１では、被充電２次電池の収納部２の大きさが固定されているため、例えば被充電２次電池４だけ充電器１に収納固定され充電することができる。同様に被充電２次電池４に有している電極８に合致する位置に充電器１に有している接続端子３が固定されている。すなわち充電器１は被充電２次電池４の専用充電器である。
【０００６】
したがって、前記充電器１では、被充電２次電池４以外の形状や電極位置が異なる被充電２次電池５、６、７は充電することができない。
【先行技術文献】
【特許文献】
【０００７】
【特許文献１】特開平１１−１８７５８１号公報
【非特許文献】
【０００８】
【非特許文献１】実用新案登録第３０２７８６７号公報  特許文献１によると、携帯電話機に設けられている充電部の端子に接続される接続端子を有するコネクタは、基板の操作部に回動可能に装着され、かつ接続端子を移動可能に形成することにより、接続端子が携帯電話機の底面部やその側端部等の任意の位置に形成されても端子部材を回動し、接続端子の位置を移動変更することによりそのいずれの位置にも追随して対応して合致され、携帯電話機の機種を問わずに適用される。コネクタはそれぞれ２つのスライド長穴を並列状に形成し、円盤状の摺動片をコネクタ本体部の差込凹部に差し込んで回転したり、左右方向に摺動させることによって、携帯電話気の充電部の端子と合致させるものである。
【０００９】
また、実用新案登録文献１によると、充電ケースには移動可能な一対の接続端子ブロック、可変電圧発生部、電圧設定部、極性切り替え部を有しており、被充電２次電池に対応して可動電極の位置を調整し、電圧および極性を合わせて充電が行われ、形状、構造、寸法、電圧、極性等の相違する被充電２次電池に対して適性に充電処理を行うことができるものである。
【発明の概要】
【発明が解決しようとする課題】
【００１０】
しかしながら、これら先行文献では、電極に対して１端子ずつ位置あわせするので操作が煩雑であり、端子部をユーザーが触るので異物が付着し易く、接触不良になる危険が高い。
また、端子部が可動して位置合わせすることが記載されているが、位置合わせ後の端子部の固定方法が記載されていないため、機器への衝撃や振動などで接触不良になる恐れがある。
また、特許文献１については、携帯電話機を着脱する際に、接続端子によって携帯電話機を傷つける恐れがある。特許文献２については、端子部が可動することは記載されているが、可動する端子部の具体的な構造が記載されていない、また自動設定の方法ではセンサーなどを使用していて高価になることが予想される。
本発明の目的は、少なくても同面に２つ以上の電極が同間隔で同面に位置する被充電２次電池（電池パック）において形状や電極位置が異なる被充電２次電池を一つの充電器で充電できる装置を提供し、実使用において操作が簡単で接触信頼性が高い２次電池充電装置を提供するものである。
【課題を解決するための手段】
【００１１】
本発明は、同面に２つ以上の電極がある被充電２次電池（電池パック）を充電装置に位置決め固定する電池固定設定部を有し、前記被充電２次電池（電池パック）の電極に合致する部位に２つ以上の電極がある接触端子を合わせて移動することができる可動端子を有している端子位置設定部を有することによって、形状が異なる、また電極位置が異なる前記被充電２次電池（電池パック）を一つの充電器で充電することが可能である。
前記被充電２次電池（電池パック）固定設定部が前記被充電２次電池（電池パック）を位置決めするべく、対象被充電２次電池（電池パック）の外形に２次元方向に移動可能な押さえ板を有したことで、形状が異なる前記被充電２次電池（電池パック）を一つの充電器で位置決め固定することが可能である。
前記端子位置設定部の可動端子の接点部が、前記被充電２次電池（電池パック）の電極面に対して一定間隔で平行に移動可能であり、対象電極位置で前記可動端子が電極に接する接触端子を有したことによって、電極位置が異なる前記被充電２次電池（電池パック）を一つの充電器で充電することが可能である。
前記端子位置設定部の可動端子が前記被充電２次電池（電池パック）の電極面に近づき固定され、または電極面から離れて可動する切り替え部を備えることによって、電極以外の部分に触れることがないため、前記被充電２次電池（電池パック）を傷つけることがなく、また接触信頼性が高い充電器が可能である。
【発明の効果】
【００１２】
本発明に係る２次電池充電装置によれば、少なくても２つ以上の電極が同間隔で同面に位置する被充電２次電池（電池パック）において様々な形状や電極位置が異なる被充電２次電池（電池パック）を一つの充電器で充電できる。しかも前記被充電２次電池（電池パックの電極以外の傷つきがなく、接触信頼性が高い２次電池充電装置を提供できる。
【図面の簡単な説明】
【００１３】
【図１】本発明の形態による２次電池充電装置の全体平面図
【図２】本発明の形態による２次電池充電装置の縦断面図
【図３】本発明の形態による２次電池充電装置の横断面図
【図４】本発明の形態による端子位置設定部の平面図
【図５】本発明の形態による端子位置設定部の横断面図
【図６】本発明の形態による端子位置設定部の縦断面図
【図７】本発明の形態による可動端子部の詳細平面図
【図８】本発明の形態による可動端子部の固定状態断面図
【図９】本発明の形態による可動端子部の可動状態断面図
【図１０】従来の電池パック充電器の外観図
【図１１】形状および電極位置が異なる電池パックの外観図
【発明を実施するための形態】
【００１４】
以下、本発明の実施形態における２次電池充電装置について、図面を参照しながら説明する。
（実施の形態１）
図１〜図３を参照して、本発明の形態による２次電池充電装置について説明する。
【００１５】
図１は本発明の形態による２次電池充電装置の全体平面図である。また、図２は２次電池充電装置の縦断面図であり、図３は２次電池充電装置の横断面図である。
【００１６】
図１に示すように、電池固定設定部１２は押さえ板１３と１４を有している。押さえ板１３は電池外形の長さ方向（図中、Ｙ軸方向）に移動可能であり、押さえ板１４は電池外形の幅方向（図中、Ｘ軸方向）に移動可能である。
また、電池固定設定部１２には、押さえ板１３を係合する縦リブ１５や押さえ板１４を係合する横リブ１６が形成されている。すなわち押さえ板１３は電池固定設定部１２に形成されている縦リブ１５に係合し、Ｙ軸方向に移動可能であり、押さえ板１４は電池固定設定部１２に形成されている横リブ１６に係合しＸ軸方向に移動可能である。
したがって、形状が異なる電池において、小被充電２次電池である小電池パック１７を位置決めする場合は押さえ板１３と１４をそれぞれ小電池パック１７の外形に合わせて（図中、薄い斜線部に）移動する。大被充電２次電池である大電池パック１８を位置決めする場合、A点を基点とし、押さえ板１３と１４をそれぞれ大電池パック１８の外形に合わせて（図中、濃い斜線部に）移動する。これらによって形状の異なる電池を位置決め固定することができる。押さえ板１３、１４を固定するには、図示していないが、バネ等を押さえ板１３、１４と前記係合リブの間に設けることによって既存の技術で成しえる。
【００１７】
次に図４〜図６を参照して、本発明の形態による端子位置設定部について説明する。
【００１８】
図４は本発明の形態による端子位置設定部の平面図である。また、図５は前記端子位置設定部の横断面図、図６は前記端子位置設定部の縦断面図である。
【００１９】
図４に示すように、端子位置設定部１９は可動端子部２０を有している。また端子位置設定部は可動端子部２０に係合する横リブ２１を形成している。小電池パック１７は電極２２を有していて、大電池パック１８は電極２３を有している。図４に示すように電極は３極あり、それぞれの間隔は一定になっている。
【００２０】
可動端子部２０は前記横リブ２１に沿って平行移動（図中、Ｘ軸）可能である。すなわち小電池パック１７又は大電池パック１８の電極２２、電極２３の位置から電極位置２５へ移動、すなわち可動端子部２４の位置に移動可能である。前記横リブ２１は図５に示すように電極２２、電極２３の間隔と同じ三角の凹凸部２６を形成しており、可動端子部２０と横リブ２１の間にバネ等（図示していない）を有することによって一定間隔での移動が可能になる。
【００２１】
また可動端子部２０は図６に示すように、接触端子２７を有しており、フレキ基板２８（図５）に接続されている。したがって、小電池パック１７、大電池パック１８はそれぞれの電極２２、電極２３に可動端子部２０の接触端子２７が接触することによりフレキ基板２８を介して充電回路へ接続され充電可能になる。
【００２２】
次に図７〜図９を参照して、本発明の形態による可動端子部について説明する。
【００２３】
図７は本発明の形態による可動端子部の平面図である。また、図８は前記可動端子部の固定状態の縦断面図、図９は前記可動端子部の移動状態の縦断面図である。
【００２４】
図７に示すように可動端子部２０は接触端子２７を有している。またボタン２９、バネ３１を有している。
【００２５】
次に可動端子部２０の固定状態を図８を参照して説明する。
可動端子部２０に有したボタン２９は可動端子部２０から飛出している。ボタン２９は前記横リブ２１に有した凹部３０に係合している。また、可動端子部２０に有したバネ３１により前記横リブ２１に圧力がかかり、可動端子部２０はボタン２９を介して前記横リブ２１に位置決め固定される。この状態で可動端子部２０に有した接触端子２７は小電池パック１７、大電池パック１８の電極２２、電極２３に接触して位置決め固定されている。
また、より精密に小電池パック１７、大電池パック１８の電極２２、電極２３に位置決めしたい場合は小電池パック１７、大電池パック１８に凹部３２を設け、凹部３２に係合する凸部３３を可動端子部２０に形成しても良い。
【００２６】
次に可動端子部２０の可動状態を図９を参照して説明する。
図８の状態でボタン２９を図中Ｘ方向へ押すと前記横リブ２１に有した凹部３０からボタン２９の系合部が外れ、可動端子部２０は可動可能になる。このとき、可動端子に有したバネ３１が変形し、可動端子部２０は図中Ｙ軸の方向へ移動する、したがって、小電池パック１７、大電池パック１８の電極２２、電極２３から可動端子部２０に有した接触端子２７は離れることができる。
【００２７】
また、図９の状態からボタン２９の押圧を解除すると、可動端子部２０に有したバネ３１がバネ圧により図８の状態に戻る。すなわち、可動端子部２０も図８の状態に復帰する。
【００２８】
すなわち、可動端子部２０は可動端子部２０に有したボタン２９に押圧を加えることで接触端子２７が小電池パック１７、大電池パック１８の電極２２、電極２３から離れ、かつ横リブ２１に沿って平行移動可能になり、押圧を解除すると可動端子部２０は接触端子２７が小電池パック１７、大電池パック１８の電極２２、電極２３に接触され位置決め固定することができる。
【００２９】
本発明の形態の前記電池固定設定部と前記端子位置設定部と前記可動端子部を用いることによって、少なくても２つ以上の電極が同間隔で同面に位置する被充電２次電池（電池パック）において様々な形状や電極位置が異なる被充電２次電池（電池パック）を一つの充電器で充電できる。しかも接触端子２７によって前記被充電２次電池（電池パック）の電極以外の傷つきがなく、接触信頼性が高い２次電池充電装置を構成できる。
【産業上の利用可能性】
【００３０】
本発明に係る２次電池充電装置は、少なくても２つ以上の電極が同間隔で同面に位置する被充電２次電池（電池パック）において様々な形状や電極位置が異なる被充電２次電池（電池パック）を一つの充電器で充電できるという効果がある。しかも前記被充電２次電池（電池パック）の電極以外の傷つきがなく、接触信頼性が高い２次電池充電装置として有用である。
【符号の説明】
【００３１】
８，２２，２３    電極
１２    電池固定設定部
１３，１４    押さえ板
１５    縦リブ
１６，２１    横リブ
１７    小電池パック
１８    大電池パック
１９    端子位置設定部
２０，２４    可動端子部
２５    電極位置
２６    三角の凹凸部
２７    接触端子
２８    フレキ基板
２９    ボタン
３０    凹部
３１    バネ
３２    凹部
３３    凸部
【図１】
2012125005.tif 000003
【図２】
2012125005.tif 000004
【図３】
2012125005.tif 000005
【図４】
2012125005.tif 000006
【図５】
2012125005.tif 000007
【図６】
2012125005.tif 000008
【図７】
2012125005.tif 000009
【図８】
2012125005.tif 000010
【図９】
2012125005.tif 000011
【図１０】
2012125005.tif 000012
【図１１】
2012125005.tif 000013